(57)【要約】【課題】空気圧レンチの強度を増強し、打撃が引っかかり動かなくなる問題を解決可能空気圧レンチの打撃部構造を提供する。【解決手段】  主に打撃部のハンマー台内側壁中央部分に相対する隔ブロックを形成し、かつ該ハンマー台前、後端面両側にはそれぞれ第一、二挿入孔を形成する。これにより両ハンマー台は該第一、二挿入ピンを利用し第一、二ハンマーを装置する。該第一、二ハンマーは該第一、二挿入ピンの外縁に第二、一挿入孔に対応する棒状突起を形成する。【選択図】  図  ４【実用新案登録請求の範囲】
【請求項１】
主に空気圧モーター、打撃部及び伝動軸により構成し、
該打撃部は該空気圧モーターの作用を受け正、反回転を行い、同時に該打撃部は該伝動軸を連動し、
該空気圧モーターは気圧シリンダー内に羽及びローターを設置し、該ローターはラチェット軸を突出設置し、該打撃部は枠体状のハンマー台により構成し、該ハンマー台両端にはそれぞれ該ラチェット軸と噛合うラチェット孔と該伝動軸を挿入する穿孔を設置し、
該ハンマー台両内側壁の中央部分には相対する隔ブロックをそれぞれ形成し、該ハンマー台両端面の両内側壁に隣接する位置にはそれぞれ第一、二挿入孔を形成し、該第一、二挿入孔は半分が内側壁の壁面に陥入し、該挿入孔は中央部分の隔ブロックに貫通し、さらに該挿入孔内の相互に異なる端にはそれぞれ第一、二挿入ピンを挿設し、
該ハンマー台内にはそれぞれ第一、二挿入ピンを利用し、該第一、二ハンマーを設置し、該第一、二ハンマーは該第一、二挿入孔に対応し該第一、二挿入ピンの外縁にそれぞれ凸出状の棒状突起を形成し、かつ該棒状突起は対応する第一、二挿入孔内に嵌設可能で、該ハンマー台は該第一、二挿入ピンを利用し、該第一、二ハンマーを連動し、かつ該第一、二ハンマー内にはそれぞれ相互に異なる係合孔を形成し、これにより空気圧レンチの強度を増強し、かつ使用寿命を延長することを特徴とする空気圧レンチの打撃部構造。
【請求項２】
前記伝動軸一端には直列ソケット嵌設棒部分を形成し、かつ前記伝動軸の反対端には噛合い部を形成し、該噛合い部上には前記第一、二ハンマーの係合孔に対応する第一、二打撃受止めブロックを形成し、さらに該第一、二打撃受止めブロックの相対端面両側にはそれぞれ一緒に接続する連接部を形成し、その強度を増強することを特徴とする請求項１記載の空気圧レンチの打撃部構造。
【考案の詳細な説明】
【技術分野】
【０００１】
本考案は一種の空気圧レンチの打撃部構造に関する。特に一種の空気圧レンチ打撃部の強度を向上させることができる技術領域に属し、ハンマーの特殊設計により効果的にハンマー周囲の強度を増強可能で、同時に挿入ピンの抗張力を強化することにより断裂しにくくし、空気圧レンチの使用寿命を延長可能である空気圧レンチの打撃部構造に係る。
【背景技術】
【０００２】
空気圧レンチは圧縮空気を利用し空気圧モーターの回転を作動し、その打撃部の振動原理を利用し、ネジ或いはナットを緩め或いは螺合するものである。
公知の空気圧レンチの構造は主に図１、２に示すように、空気圧モーター１０上に打撃部２０を設置し、該打撃部２０を利用し伝動軸３０を作動する。該空気圧モーター１０は気圧シリンダー１１内において羽１２及びローター１５を設置し、該ローター１５はラチェット軸１６を突出設置し、該ラチェット軸１６は該打撃部２０と噛合う。該打撃部２０は枠体状のハンマー台２１により構成し、該ハンマー台２１両端にはそれぞれ該ラチェット軸１６を嵌設し、伝動軸３０を挿入するラチェット孔２２と穿孔２３を具える。かつ該ハンマー台２１両端面間には両内側壁に位置する２個の貫通孔２４を形成し、該２個の貫通孔２４はそれぞれ対応する棒状の戻り止めピン２５を挿入する。また該ハンマー台２１上には２本の戻り止めピン２５の作動を受止める第一、二ハンマー２６、２８を穿設する。かつ第一、二ハンマー２６、２８は相互に異なる方向の係合孔２７、２９を形成し、伝動軸３０の回転方向を制御する。該伝動軸３０においてソケットを嵌設する嵌設棒部分３１を具える他に、該伝動軸３０は該第一、二ハンマー２６、２８に挿入する係合孔２７、２９の噛合い部３５を具え、かつ該噛合い部３５上にはそれぞれ該第一、二ハンマー２６、２８係合孔２７、２９に対応する第一、二打撃受止めブロック３６、３７を形成する。これにより、該ハンマー台２１は該第一、二ハンマー２６、２８を通して該伝動軸３０を駆動する。
【０００３】
上記公知の空気圧レンチは主に圧縮空気が該空気圧モーター１０に進入後、羽１２及びローター１５の正、反回転を通して該打撃部２０のハンマー台２１を作動し、該ハンマー台２１は該戻り止めピン２５を利用し該第一、二ハンマー２６、２８を振動させ、該伝動軸３０を連動し、該伝動軸３０のソケットにネジ或いはナットの正、反回転螺合或いは緩めの目的を達成するものである。
しかし、公知の空気圧レンチの設計にはいくつかの問題がある。
先ず、該ハンマー台２１の前、後両端の両側を穿設する該戻り止めピン２５は同時に該第一、二ハンマー２６、２８の外縁を穿設するが、各ハンマー２６、２８は通常、片側の戻り止めピン２５を連動し、反対側は支点を形成するだけでよいため、公知の打撃部２０の設計では該第一、二ハンマー２６、２８外縁には該戻り止めピン２５に対応し欠槽２６０、２８０を形成するため、該第一、二ハンマー２６、２８の外壁は薄くなってしまう。これにより打撃過程において振動により破裂し易くなり、打撃が引っかかり動かなくなる現象を生じ、空気圧レンチの便利性と確実性に悪影響を及ぼす。
さらに、該戻り止めピン２５は該ハンマー台２１両端を貫通するが、その長さは直径に比較し非常に大きいため、その抗張力を低下させ、該戻り止めピン２５は断裂、湾曲し易くなる。
このように該第一、二ハンマー２６、２８の破裂、或いは該戻り止めピン２５の湾曲断裂共に空気圧レンチの使用寿命を短縮することとなる。
【考案の開示】
【考案が解決しようとする課題】
【０００４】
公知構造には以下の欠点があった。
すなわち、ハンマー台の前、後両端の両側を穿設する戻り止めピンは同時に第一、二ハンマーの外縁を穿設するが、各ハンマーは通常、片側の戻り止めピンを連動し、反対側は支点を形成するだけでよいため、公知の打撃部の設計では該第一、二ハンマー外縁には該戻り止めピンに対応し欠槽を形成する。よって、該第一、二ハンマーの外壁は薄くなってしまい、これにより打撃過程において振動により破裂し易くなり、打撃が引っかかり動かなくなる現象を生じ、空気圧レンチの便利性と確実性に悪影響を及ぼす。
さらに、戻り止めピンはハンマー台両端を貫通するが、その長さは直径に比較し非常に大きいため、その抗張力を低下させ、該戻り止めピンは断裂、湾曲し易くなる。
このように上記２現象は、空気圧レンチの使用寿命を短縮してしまう。
本考案は上記構造の問題点を解決した空気圧レンチの打撃部構造を提供するものである。
【課題を解決するための手段】
【０００５】
上記課題を解決するため、本考案は下記の空気圧レンチの打撃部構造を提供する。
それは主に空気圧モーター、打撃部及び伝動軸により構成し、
該打撃部は該空気圧モーターの作用を受け正、反回転を行い、同時に該打撃部は該伝動軸を連動し、
該空気圧モーターは気圧シリンダー内に羽及びローターを設置し、該ローターはラチェット軸を突出設置し、該打撃部は枠体状のハンマー台により構成し、該ハンマー台両端にはそれぞれ該ラチェット軸と噛合うラチェット孔と該伝動軸を挿入する穿孔を設置し、  
該ハンマー台両内側壁の中央部分には相対する隔ブロックをそれぞれ形成し、該ハンマー台両端面の両内側壁に隣接する位置にはそれぞれ第一、二挿入孔を形成し、該第一、二挿入孔は半分が内側壁の壁面に陥入し、該挿入孔は中央部分の隔ブロックに貫通し、さらに該挿入孔内の相互に異なる端にはそれぞれ第一、二挿入ピンを挿設し
該ハンマー台内にはそれぞれ第一、二挿入ピンを利用し、該第一、二ハンマーを設置し、該第一、二ハンマーは該第一、二挿入孔に対応し該第一、二挿入ピンの外縁にそれぞれ凸出状の棒状突起を形成し、かつ該棒状突起は対応する第一、二挿入孔内に嵌設可能で、該ハンマー台は該第一、二挿入ピンを利用し、該第一、二ハンマーを連動し、かつ該第一、二ハンマー内にはそれぞれ相互に異なる係合孔を形成し、
これにより空気圧レンチの強度を増強し、打撃が引っかかり動かなくなる問題を解決可能し、かつ使用寿命を延長することを特徴とする空気圧レンチの打撃部構造である。
【考案の効果】
【０００６】
上記のように、本考案はハンマー台内の第一、二挿入孔中に挿設する第一、二挿入ピンは第一、二ハンマー片側外縁にのみ対応し設置するため、第一、二ハンマーの反対側外縁には棒状突起を形成可能で、該棒状突起は第一、二ハンマーの厚みを増加することができる。こうして第一、二ハンマーの構造強度を大幅に増強し、第一、二ハンマーが振動により破裂する現象の発生を減少させることができ、同時に打撃が引っかかり動かなくなる問題を解決可能である。さらに、本考案は第一、二ハンマーの強度を棒状突起により増強可能である他に、第一、二挿入ピンの長さが公知構造より短いため、直径との比率も小さくなり、第一、二挿入ピンの抗張力を大幅に拡大することができ、湾曲による断裂現象の発生を減少させ、その使用寿命を効果的に延長することができる。
【考案を実施するための最良の形態】
【０００７】
本考案空気圧レンチの打撃部構造は図４、５に示すように、該空気圧レンチは主に空気圧モーター５０、打撃部６０及び伝動軸８０により構成する。
該打撃部６０は該空気圧モーター５０の作用を受け正、反回転を行い、同時に該打撃部６０は該伝動軸８０を連動しネジ或いはナットを回す。
該空気圧モーター５０は気圧シリンダー５１内に羽５２及びローター５５を設置し、該ローター５５はラチェット軸５６を突出設置する。
該打撃部６０は枠体状のハンマー台６１を具え構成し、該ハンマー台６１両端にはそれぞれとラチェット軸５６と噛合うラチェット孔６２、該伝動軸８０を挿入する穿孔６３を設置する。以上の構成及び作動原理は公知の空気圧レンチの打撃部構造と同様で、かつ本考案の特徴には当たらないため、詳述しない。
【０００８】
次に図４、５、６に示すように、該ハンマー台６１両内側壁の中央部分においてそれぞれ相対した隔ブロック６４を形成する。該ハンマー台６１両端面の両内側壁に隣接する位置にはそれぞれ第一、二挿入孔６５、６６を形成し、該第一、二挿入孔６５、６６は中央部分の隔ブロック６４を貫通する。該第一、二挿入孔６５、６６は半分が内側壁の壁面に陥入し、さらに該第一、二挿入孔６５、６６の相互に異なる一端にはそれぞれ第一、二挿入ピン６７、６８を挿設し、該第一、二ハンマー７０、７５を装置する。
かつ該第一、二ハンマー７０、７５内にはそれぞれ係合孔７１、７６を形成する。該第一、二ハンマー７０、７５は該第一、二挿入ピン６７、６８位置に対応しそれぞれ嵌槽を形成する他に、該第一、二ハンマー７０、７５は該ハンマー台６１の第一、二挿入孔６５、６６に設置する該第一、二挿入ピン６７、６８位置に対応し、それぞれ棒状突起７２、７７を形成する。該棒状突起７２、７７は該第一、二挿入孔６５、６６内に嵌設され、該第一、二ハンマー７０、７５周囲壁の厚みを増加することができ、該第一、二ハンマー７０、７５は正、反回転に該伝動軸８０を作動する。
該伝動軸８０一端には直列ソケットの嵌設棒部分８１を形成する。かつ該伝動軸８０の反対端には噛合い部８５を形成し、該噛合い部８５上には該第一、二ハンマー７０、７５の係合孔７１、７６に対応する第一、二打撃受止めブロック８６、８７を形成する。さらに該第一、二打撃受止めブロック８６、８７の相対端面両側には一緒に接続する連接部８８を形成有し、その構造強度を増強する。
【０００９】
本考案の運用に当たっては、図５に示すように、圧縮空気が該空気圧モーター５０に入ると、該羽５２及び該ローター５５の正、反回転を通して該打撃部６０のハンマー台６１を作動し、該ハンマー台６１はそれぞれ活動挿入ピン６８を利用し、該第一、二ハンマー７０、７５の該伝動軸８０第一、二打撃受止めブロック８６、８７への打撃を連動し、該伝動軸８０のソケットの正、反回転によるネジ或いはナットの螺合或いは緩めの目的を達成する。
【図面の簡単な説明】
【００１０】
【図１】各構成部品の形態とその相対関係を示す公知の空気圧レンチの立体分解図である。
【図２】組合後の内部状態を示す公知の空気圧レンチの平面断面図である。
【図３】公知のハンマーの断面指示図である。
【図４】各構成部品の形態及びその対応関係を示す本考案の立体分解図図である。
【図５】内部の状態を示す本考案構成後の平面断面図である。
【図６】本考案ハンマーの断面指示図である。
【符号の説明】
【００１１】
１０  空気圧モーター
１１  気圧シリンダー
１２  羽
１５  ローター
１６  ラチェット軸
２０  打撃部
２１  ハンマー台
２２  ラチェット孔
２３  穿孔
２４  貫通孔
２５  戻り止めピン
２６  第一ハンマー
２６０  欠槽
２７  係合孔
２８  第二ハンマー
２８０  欠槽
２９  係合孔
３０  伝動軸
３１  嵌設棒部分
３５  噛合い部
３６  第一打撃受止めブロック
３７  第二打撃受止めブロック
５０  空気圧モーター
５１  気圧シリンダー
５２  羽
５５  ローター
５６  ラチェット軸
６０  打撃部
６１  ハンマー台
６２  ラチェット孔
６３  穿孔
６４  隔ブロック
６５  第一挿入孔
６６  第二挿入孔
６７  第一挿入ピン
６８  第二挿入ピン
７０  第一ハンマー
７１  係合孔
７２  棒状突起
７５  第二ハンマー
７６  係合孔
７７  棒状突起
８０  伝動軸
８１  嵌設棒部分
８５  噛合い部
８６  第一打撃受止めブロック
８７  第二打撃受止めブロック
８８  連接部
【図１】
0003107100.tif 000002
【図２】
0003107100.tif 000003
【図３】
0003107100.tif 000004
【図４】
0003107100.tif 000005
【図５】
0003107100.tif 000006
【図６】
0003107100.tif 000007